(57)【特許請求の範囲】
【請求項１】
間隔をあけて配置された第１の基板及び第２の基板と、前記第１の基板と前記第２の基板との間に配置された絶縁性液体と、前記絶縁性液体に分散された帯電泳動粒子と、各画素内であって前記第１の基板に互いに隣接して配置された第１の電極及び第２の電極と、を備え、
前記第１の電極及び前記第２の電極を介して電圧を印加して、前記帯電泳動粒子を前記第１の電極側もしくは前記第２の電極側に移動させることにより表示する電気泳動表示装置において、
前記第１の基板と前記第２の基板との間であって前記各画素を囲むように互いに隣接する画素の間に前記第１の電極及び前記第２の電極と非接触状態で配置された導電性を有する導電性部材を備える、
ことを特徴とする電気泳動表示装置。
【請求項２】
間隔をあけて配置された第１の基板及び第２の基板と、前記第１の基板と前記第２の基板との間に配置された絶縁性液体と、前記絶縁性液体に分散された帯電泳動粒子と、各画素内であって前記第１の基板に配置された第１の電極と、前記各画素内であって前記第１の電極に対向するように前記第２の基板に配置された第２の電極と、を備え、
前記第１の電極及び前記第２の電極を介して電圧を印加して、前記帯電泳動粒子を前記第１の電極側もしくは前記第２の電極側に移動させることにより表示する電気泳動表示装置において、
前記第１の基板と前記第２の基板との間であって前記各画素を囲むように互いに隣接する画素の間に前記第１の電極及び前記第２の電極と非接触状態で配置された導電性を有する導電性部材を備える、
ことを特徴とする電気泳動表示装置。
【請求項３】
前記導電性部材は、前記第１の基板と前記第２の基板とに接触するように配置されている、
ことを特徴とする請求項１又は２に記載の電気泳動表示装置。
【請求項４】
前記導電性部材の表面に絶縁層が形成されている、
ことを特徴とする請求項１乃至３のいずれか１項に記載の電気泳動表示装置。
【請求項５】
前記導電性部材は電気的にアースされている、
ことを特徴とする請求項１乃至４のいずれか１項に記載の電気泳動表示装置。
【請求項６】
間隔をあけて配置された第１の基板及び第２の基板と、前記第１の基板と前記第２の基板との間に配置された絶縁性液体と、前記絶縁性液体に分散された帯電泳動粒子と、各画素内であって前記第１の基板に互いに隣接して配置された第１の電極及び第２の電極と、前記第１の基板と前記第２の基板との間であって前記各画素を囲むように互いに隣接する画素の間に前記第１の電極及び前記第２の電極と非接触状態で配置された導電性を有する導電性部材と、を備え、
前記第１の電極及び前記第２の電極を介して電圧を印加して、前記帯電泳動粒子を前記第１の電極側もしくは前記第２の電極側に移動させることにより表示する電気泳動表示装置の駆動方法において、
前記導電性部材に、前記帯電泳動粒子が吸着されないように電圧を印加する、
ことを特徴とする電気泳動表示装置の駆動方法。
【請求項７】
間隔をあけて配置された第１の基板及び第２の基板と、前記第１の基板と前記第２の基板との間に配置された絶縁性液体と、前記絶縁性液体に分散された帯電泳動粒子と、各画素内であって前記第１の基板に配置された第１の電極と、前記各画素内であって前記第１の電極に対向するように前記第２の基板に配置された第２の電極と、前記第１の基板と前記第２の基板との間であって前記各画素を囲むように互いに隣接する画素の間に前記第１の電極及び前記第２の電極と非接触状態で配置された導電性を有する導電性部材と、を備え、
前記第１の電極及び前記第２の電極を介して電圧を印加して、前記帯電泳動粒子を前記第１の電極側もしくは前記第２の電極側に移動させることにより表示する電気泳動表示装置の駆動方法において、
前記導電性部材に、前記帯電泳動粒子が吸着されないように電圧を印加する、
ことを特徴とする電気泳動表示装置の駆動方法。
【請求項８】
前記帯電泳動粒子が正極性を有する場合には、前記第１の電極及び前記第２の電極のうち移動先である電極に印加される電圧よりも大きい電圧を前記導電性部材に印加し、前記帯電泳動粒子が負極性を有する場合には、前記第１の電極及び前記第２の電極のうち移動先である電極に印加される電圧よりも小さい電圧を前記導電性部材に印加する、
ことを特徴とする請求項６又は７に記載の電気泳動表示装置の駆動方法。
【発明の詳細な説明】
【０００１】
【発明の属する技術分野】
本発明は、帯電泳動粒子を移動させて表示を行う電気泳動表示装置、及び該電気泳動表示装置の駆動方法に関する。
【０００２】
【従来の技術】
デジタル技術の目覚しい進歩により、個人が扱うことのできる情報量は飛躍的に増大している。これに伴い、情報の出力手段として、低消費電力かつ薄型の表示装置の開発が盛んに行われるようになった。
【０００３】
その一つとして、Ｈａｒｏｌｄ  Ｄ．  Ｌｅｅｓ等により電気泳動表示装置が提案されている（米国特許ＵＳＰ３６１２７５８公報）。
【０００４】
図５(a) は、その電気泳動表示装置の構造の一例を示す図であるが、この種の電気泳動表示装置は、所定間隙を開けた状態に配置された一対の基板１ａ，１ｂと、これらの基板１ａ，１ｂの間に充填された絶縁性液体２と、該絶縁性液体２に分散された多数の着色帯電泳動粒子３と、それぞれの基板１ａ，１ｂに沿うように各画素Ａに配置された電極１４，１５と、を備えている。なお、符号１６は、画素Ａと画素Ａとの間に設けられた隔壁であって、着色帯電泳動粒子３の他の画素への移動を防止し、均一表示を維持するために設けられたものである。この装置において、着色帯電泳動粒子３は、正極性又は負極性に帯電されているため、電極１４，１５に印加する電圧の極性に応じていずれかの電極１４又は１５に吸着されるが、絶縁性液体２及び着色帯電泳動粒子３はそれぞれ異なる色に着色されているため、着色帯電泳動粒子３が観察者側の電極１５に吸着されている場合には該粒子３の色が視認され（図５(a)参照）、着色帯電泳動粒子３が他側の電極１４に吸着されている場合には絶縁性液体２の色が視認されることとなる。したがって、印加電圧の極性を画素毎に制御することによって、様々な画像を表示することができる。以下、このタイプの装置を“上下移動型”とする。
【０００５】
なお、電気泳動表示装置には、図６(a) に示す構造のものが特開昭４９−５５９８号公報や特開平１１−２０２８０４号公報等にて提案されている。すなわち、図５(a) に示す電気泳動表示装置Ｄ３では絶縁性液体２を着色しなければならず、発色材混入に伴う問題（すなわち、絶縁性液体２に染料やイオンなどの発色材を混入させることにより、該発色材に起因した電荷の授受が発生してしまい、帯電泳動粒子３の電気泳動動作に悪影響を及ぼし、表示装置としての性能や寿命、安定性を低下させるという問題）がある。図６(a) に示す電気泳動表示装置は、かかる問題を解決するために提案されたものであって、絶縁性液体２を透明とし、一対の電極４，５を絶縁性液体２の一側に並べて配置したものである。以下、このタイプの装置を“水平移動型”とする。
【０００６】
【発明が解決しようとする課題】
ところで、上下移動型並びに水平移動型のいずれの電気泳動表示装置においても、ある画素Ａ１に配置された着色帯電泳動粒子３Ａ１は、他の画素Ａ２の電極４Ａ２，５Ａ２（又は１４Ａ２，１５Ａ２）に印加されている電圧とは無関係に、その画素Ａ１の電極４Ａ１，５Ａ１（又は１４Ａ１，１５Ａ１）に印加されている電圧のみによって制御されることが望まれる。
【０００７】
しかしながら、着色帯電泳動粒子３Ａ１は、隣り合う画素Ａ２の電界（すなわち、該画素の電極４Ａ２，５Ａ２（又は１４Ａ２，１５Ａ２）に印加されている電圧）の影響を受けて不規則に泳動してしまい、表示の乱れ、コントラストの低下を招く場合があった。例えば、上下移動型の電気泳動表示装置Ｄ３において、隣接される２つの画素Ａ１，Ａ２の両方で、着色帯電泳動粒子３を観察者側電極１５に吸着させて白表示をしているとする（図５(a) 参照）。この状態から、一方の画素Ａ２のみ、着色帯電泳動粒子３Ａ２を反対側に移動させて黒表示をする場合（図５(b) 参照）、画素Ａ２の電極１４Ａ２，１５Ａ２には逆極性の電圧を印加する必要があるが、符号Ｃで示す部分の帯電泳動粒子３Ａ１が該電界の影響を受けて移動してしまい、コントラストの低下が発生してしまう。また、水平移動型の電気泳動表示装置Ｄ１において、一方の画素Ａ１で黒表示をし、他方の画素Ａ２で白表示をしているとする（図６(a) 参照）。この状態から、隣接される２つの画素Ａ１，Ａ２の両方で黒表示をする場合（同図(b) 参照）、画素Ａ２の電極４Ａ２，５Ａ２には逆極性の電圧を印加する必要があるが、符号Ｃで示す部分の帯電泳動粒子３Ａ１が該電界の影響を受けて移動してしまい、コントラストの低下が発生してしまう。
【０００８】
そこで、本発明は、表示品質の劣化を防止する電気泳動表示装置、及びその駆動方法を提供することを目的とするものである。
【０００９】
【課題を解決するための手段】
本発明は上記事情を考慮してなされたものであり、間隔をあけて配置された第１の基板及び第２の基板と、前記第１の基板と前記第２の基板との間に配置された絶縁性液体と、前記絶縁性液体に分散された帯電泳動粒子と、各画素内であって前記第１の基板に互いに隣接して配置された第１の電極及び第２の電極と、を備え、前記第１の電極及び前記第２の電極を介して電圧を印加して、前記帯電泳動粒子を前記第１の電極側もしくは前記第２の電極側に移動させることにより表示する電気泳動表示装置において、前記第１の基板と前記第２の基板との間であって前記各画素を囲むように互いに隣接する画素の間に前記第１の電極及び前記第２の電極と非接触状態で配置された導電性を有する導電性部材を備える、ことを特徴とする。
また、本発明は、間隔をあけて配置された第１の基板及び第２の基板と、前記第１の基板と前記第２の基板との間に配置された絶縁性液体と、前記絶縁性液体に分散された帯電泳動粒子と、各画素内であって前記第１の基板に配置された第１の電極と、前記各画素内であって前記第１の電極に対向するように前記第２の基板に配置された第２の電極と、を備え、前記第１の電極及び前記第２の電極を介して電圧を印加して、前記帯電泳動粒子を前記第１の電極側もしくは前記第２の電極側に移動させることにより表示する電気泳動表示装置において、前記第１の基板と前記第２の基板との間であって前記各画素を囲むように互いに隣接する画素の間に前記第１の電極及び前記第２の電極と非接触状態で配置された導電性を有する導電性部材を備える、ことを特徴とする。
【００１０】
【発明の実施の形態】
以下、図１乃至図４を参照して、本発明の実施の形態について説明する。
【００１１】
本発明に係る電気泳動表示装置は、例えば図１に符号Ｄ１で示すように、所定間隙を開けた状態に配置された一対の基板１ａ，１ｂと、これらの基板１ａ，１ｂの間隙に配置された絶縁性液体２と、該絶縁性液体２に分散された複数の着色帯電泳動粒子３と、各画素Ａにそれぞれ配置された少なくとも一対の電極４，５と、を備えており、前記一対の基板１ａ，１ｂの間隙であって画素Ａと画素Ａとの間には導電性を有する導電性部材６が配置されている。
【００１２】
この導電性部材６は、図２では、画素Ａの四方を囲むように前記基板１ａ，１ｂに沿って連続的に配置されているが、断続的に配置しても良い。また、この導電性部材６は、図１では、前記基板１ａ，１ｂの間隙を塞ぐように（すなわち、隙間を有さずに両方の基板１ａ，１ｂに接触するように）配置されており、そのように配置した方が帯電泳動粒子３の画素間移動阻止という点では優れているが、一部に隙間を有していても良い。さらに、この導電性部材６は、全ての画素に配置する必要はなく、特に電気的に遮蔽を行いたい部分にのみ配置しても良い。
【００１３】
この導電性部材６は電気的にアースされていると、電界遮蔽効果がさらに有効となって好ましい。
【００１４】
また、この導電性部材６の表面（絶縁性液体２に触れる側の面）に絶縁層を形成しても良い。その場合には、帯電泳動粒子３が導電性部材６に接触することを防いで、帯電泳動粒子３への電荷注入を防止できる。絶縁層の厚さは、好ましくは１μｍ以下にして、開口率を上げるようにすると良い。
【００１５】
ところで、この導電性部材６は、
・  導電性材料だけで形成しても、
・  絶縁性母材中に導電性材料を混ぜ込んで形成しても（例えば、母材であるレジスト中に粉末カーボン等を練り込んでも）、
・  導電性部材６の一部（例えば、側壁）に導電層を形成しても、良く、導電性材料としては、アルミニウム、銅、銀、金、白金、クロム、ニッケル、ＩＴＯ、導電性レジスト、導電性高分子材料などを挙げることができる。
【００１６】
この導電性部材６は、蒸着、スパッタリング、フォトリソグラフィ、エッチング、めっき法、モールドあるいは印刷法などの通常の方法で形成すると良い。
【００１７】
ところで、図１に示す電気泳動表示装置は水平移動型であって、電極４，５は一方の基板１ａに沿うように並べて配置されていて、これらの電極４，５に印加する電圧の極性に応じて帯電泳動粒子３が基板に沿った方向に移動するように構成されているが、本発明はこのような水平移動型の電気泳動表示装置に限定されるものではなく、図３に示すような上下移動型としても良い。すなわち、一対の電極１４，１５を（並べて配置するのではなく）絶縁性液体２を挟み込むようにそれぞれの基板１ａ，１ｂに配置し、これらの電極１４，１５に印加する電圧の極性に応じて帯電泳動粒子３が上下方向に移動するように構成しても良い。
【００１８】
なお、電気泳動表示装置を水平移動型にする場合には、絶縁性液体２は透明で良く、いずれか一方の電極には着色帯電泳動粒子３と同じ色を付し、他方の電極には異なる色を付すと良い。例えば、着色帯電泳動粒子３を黒色、一方の電極４を黒色、他方の電極５を白色としても良いが、もちろんこれに限られるものではなく、配色の組み合せは自由である。また、カラー表示をしたい場合には、着色帯電泳動粒子３を黒色、一方の電極を黒色、他方の電極を適宜赤・緑・青色とすると良い。なお、電極に色を付す方法としては、
・  電極自体を着色する方法
・  電極とは別に着色層を設ける方法
・  電極を覆うように形成した絶縁層を利用する方法（例えば、絶縁層自体の色を利用したり、絶縁層に着色材料を混ぜ込む方法）、
を挙げることができる。なお、図１中の符号８ａは電極４を覆う着色層を示し、符号８ｂは電極５を覆う着色層を示す。
【００１９】
また、電気泳動表示装置を上下移動型にする場合には、両方の電極１４，１５を透明とし、絶縁性液体２及び着色帯電泳動粒子３にはそれぞれ異なる色を付すと良い。
【００２０】
一方、電極４，５，…を覆うように絶縁層７を形成すると良く、絶縁層７を形成した場合には、各電極４，５，…から帯電泳動粒子３への電荷注入を防止できる。この絶縁層７に用いる材料としては、薄膜でもピンホールが形成されにくく、低誘電率の材料、具体的には、アモルファスフッ素樹脂、高透明ポリイミド、ＰＥＴ等が好ましい。また、その膜厚は１μｍ程度以下が好適である。
【００２１】
また一方、基板１ａ，１ｂには、ポリエチレンテレフタレート（ＰＥＴ）、ポリエーテルサルフォン（ＰＥＳ）等のポリマーフィルム或いはガラス、石英等の無機材料を使用することができる。
【００２２】
また、電極４，…には、パターニング可能な導電性材料ならどのようなものでも使用できる。
【００２３】
ところで、図１に示す電気泳動装置Ｄ１では、符号４に示す電極と符号５に示す電極とがそれぞれ１つずつ配置されているが、それらの電極の配置位置や本数は図示のものに限定されるものではない。
【００２４】
また、帯電泳動粒子３としては、絶縁性液体中で良好な帯電特性を示す材料を用いると良い。例えば、ポリエチレン、ポリスチレン等の樹脂を用いると良く、黒色に着色する場合にはそれらの樹脂にカーボンなどを混ぜると良い。帯電泳動粒子３の粒径には制限が無いが、通常は０．５μｍ〜１０μｍ位のものを使用すると良い。
【００２５】
さらに、絶縁性液体２には、シリコーンオイル、トルエン、キシレン、高純度石油等の無色透明液体を使用すると良い。
【００２６】
次に、上述した電気泳動表示装置の駆動方法について説明する。
【００２７】
帯電泳動粒子３を正極性又は負極性に帯電させておいて、前記一対の電極４，５（或いは、１４，１５）を介して電圧を印加する。その印加電圧の極性を画素毎に制御すると、帯電泳動粒子３はいずれかの電極４又は５（或いは、１４又は１５）に吸着されるが、その作用を利用して画像を表示することができる。
【００２８】
ところで、これらの電極４，…だけでなく、導電性部材６にも電圧を印加すると良い。但し、その場合、帯電泳動粒子３はいずれかの電極４，…だけに吸着され、導電性部材６には吸着されないようにすると良い。そのための具体的方法としては、
(A) 泳動粒子３の帯電極性が正極性の場合には、導電性部材６の電圧Ｖｓ＞移動先である電極の駆動電圧（Ｖｄ２）となるように印加し、
(B) 泳動粒子３の帯電極性が負極性の場合には、導電性部材６の電圧Ｖｓ＜移動先である電極の駆動電圧（Ｖｄ２）となるように印加、
すると良い。具体的には、移動先である電極の駆動電圧をＶｄ２とすると、上記(A) のように泳動粒子３が正極性に帯電されている場合には、
Ｖｄ１＞Ｖｓ＞Ｖｄ２またはＶｓ＞Ｖｄ１＞Ｖｄ２
とすれば良く（この場合、正極性に帯電されている泳動粒子３は最も低い電圧Ｖｄ２が印加されている電極に吸着され、電圧Ｖｓが印加されている導電性部材６には吸着されない）、上記(B) のように泳動粒子３が負極性に帯電されている場合には、
Ｖｄ１＜Ｖｓ＜Ｖｄ２またはＶｓ＜Ｖｄ１＜Ｖｄ２
とすれば良い（この場合、負極性に帯電されている泳動粒子３は最も高い電圧Ｖｄ２が印加されている電極に吸着され、電圧Ｖｓが印加されている導電性部材６には吸着されない）。このとき導電性部材６に、電圧が印加されていることによって、クーロン力による反発によって、帯電泳動粒子３が導電性部材に張り付くのを防止するとともに、隣接画素間の電界干渉の防止に効果があり、安定した表示コントラストを得ることができる。
【００２９】
次に、本実施の形態の効果について説明する。
【００３０】
本実施の形態によれば、画素Ａと画素Ａとの間には導電性を有する導電性部材６が配置されているため、各画素Ａの電界が他の画素に漏れ出ることを低減できる。その結果、各画素Ａに配置された着色帯電泳動粒子３は、（他の画素の電極に印加される電圧の影響を受けることなく）その画素の電極に印加される電圧によってのみ制御される。その結果、表示の乱れやコントラストの低下を低減できる。例えば、上下移動型の電気泳動表示装置において、隣接される２つの画素Ａ１，Ａ２の両方で白表示をしている状態（図５(a) 参照）から、同図(c) に示すように、一方の画素Ａ２のみ、着色帯電泳動粒子３Ａ２を反対側に移動させて黒表示をする場合であっても、符号Ｃで示す部分の帯電泳動粒子３Ａ１が該電界の影響を受けて移動してしまうことはなく、表示の乱れやコントラストの低下を防止できる。また、水平移動型の電気泳動表示装置において、一方の画素Ａ１で黒表示をし、他方の画素Ａ２で白表示をしている状態（図６(a) 参照）から、同図(c) に示すように、隣接される２つの画素Ａ１，Ａ２の両方で黒表示をする場合であっても、符号Ｃで示す部分の帯電泳動粒子３Ａ１が該電界の影響を受けて移動してしまうことはなく、表示の乱れやコントラストの低下を防止できる。
【００３１】
また、本実施の形態によれば、導電性部材６を上述のように設けたため、着色帯電泳動粒子３の他の画素への移動を低減でき、該移動に伴う表示品質の悪化を防止できる。
【００３２】
これらの効果（電界の漏出や粒子の移動の低減）は、画素Ａを囲むように連続的に、かつ、基板間隙を塞ぐように導電性部材６を配置した場合に顕著となる。また、電界の漏出低減の効果は、導電性部材６をアースした場合に顕著となる。
【００３３】
また、各電極４，…を覆うように絶縁層７を形成したり、導電性部材６の表面に絶縁層を形成した場合には、電極４，…や導電性部材６から帯電泳動粒子３への電荷注入を防止できる。
【００３４】
【実施例】
以下、実施例に沿って本発明を更に詳細に説明する。
【００３５】
（実施例１）
本実施例では、図１及び図２に示す構造の水平移動型電気泳動表示装置Ｄ１を作製した。
【００３６】
この電気泳動表示装置Ｄ１を製造するに際しては、基板としてのＰＥＴフィルム１ａ（２００μｍ厚）の表面にアルミニウム薄膜を成膜し、フォトリソグラフィー法やウェットエッチング法によってパターニングし、図２に示す形状の電極４，５を形成した。なお、一方の電極４の幅を３５μｍとし、他方の電極５の幅を８５μｍとした。そして、白色の着色層８ｂをこれらの電極４，５を覆うように形成し、電極４を覆う部分にだけ暗黒色の着色層８ａを形成した。なお、着色層８ｂは、アルミナなどの白色顔料を分散させたアクリル樹脂にて形成した。次に、これらの着色層８ａ，８ｂを覆うように、アクリル樹脂からなる絶縁層７を形成した。
【００３７】
その後、この絶縁層７の表面に光感光性エポキシ樹脂を塗布した後、フォトリソグラフィ法によって隔壁（導電性部材）６を図２に示す形状に形成した（５μｍ幅）。なお、隔壁６の高さは５０μｍとした。そして、隔壁６の側面は、ニッケルで厚さ約０．５μｍにめっきし、その表面には絶縁層を形成した（不図示）。
【００３８】
この段階では、上側の基板１ｂは貼着されていないため、下側基板１ａと隔壁６とによって多数の凹部が形成されているが、それらの凹部には、絶縁性液体としてのシリコーンオイル２や黒色帯電泳動粒子３を充填した。なお、黒色帯電泳動粒子３には、ポリスチレンとカーボンとを混合させたものを用い、平均粒径は２μｍ程度とした。この粒子３は、シリコーンオイル中では正帯電極性を示した。
【００３９】
次に、基板１ａの基板１ｂとの接着面に熱融着性の接着層パターンを形成し、基板１ａの隔壁上に、位置合わせを行ないながら２基板１ｂを置き、熱をかけて張り合わせた（基板間隙は、隔壁６の高さである５０μｍとした）。これに不図示の電圧印加回路を接続して表示装置とした。
【００４０】
以上のようにして作製した電気泳動表示装置Ｄ１を駆動した。具体的には、
・  電極４への印加電圧Ｖｄ１；−５０Ｖ、電極５への印加電圧Ｖｄ２；＋５０Ｖ
・  電極４への印加電圧Ｖｄ１；＋５０Ｖ、電極５への印加電圧Ｖｄ２；−５０Ｖ
として、１００ｍｓｅｃ毎に電圧極性を反転させた。
【００４１】
本実施例によれば、良好な白および黒の表示が得られた。さらに、隣接する画素で白および黒の異なる表示を行った場合でもコントラストの変動は見られず、安定した表示コントラストを得られることを確認した。
【００４２】
（実施例２）
本実施例では、隔壁（導電性部材）６の材質や作製方法は実施例１とは異ならせたが、その他の部材の材質や作製方法は実施例１と同様とした。
【００４３】
すなわち、上記実施例１のようにして、電極４，５や着色層８ａ，８ｂや絶縁層７を形成し、その後、この絶縁層７の表面全面に導電性レジストを塗布し、図２に示す形状にパターニングした。導電性レジストとしては、チオフェン、アセチレン、ピロールチアジル、アズレン、インデン、インドール、パラフェニレン、ナフチレン、アントラセン、アニリン、フタロシアニン、カルバゾール、フェロセン、ＴＣＮＱ錯体及びそれらの誘導体を骨格もしくは側鎖に有する導電性高分子物質等が含まれた導電性レジストを挙げることができる。なお、このパターニングの際、隔壁６の引き出し配線を形成しておき、隔壁６をアースできるようにした。
【００４４】
このようにして作製した電気泳動表示装置を、実施例１と同様の方法によって駆動したところ、同様の効果が得られた。
【００４５】
（実施例３）
本実施例では、隔壁（導電性部材）６の材質や作製方法は実施例１とは異ならせ、かつ、駆動に際しては電極だけでなく隔壁６にも電圧を印加した。その他の構成や作製方法は実施例１と同様とした。
【００４６】
すなわち、上記実施例１のようにして、電極４，５や着色層８ａ，８ｂや絶縁層７を形成し、その後、この絶縁層７の表面全面に導電性高分子材料を塗布し、図２に示す形状にパターニングした。導電性高分子材料としては例えば、金属、金属酸化物、ポリピロール、ポリアニリン、ポリチオフェンまたはその誘導体等が含まれた導電性高分子材料を使用した。なお、このパターニングの際、隔壁６の引き出し配線を形成しておき、隔壁６にも電圧を印加できるように施した。
【００４７】
以上のようにして作製した電気泳動表示装置Ｄ１を駆動した。具体的には、
・  電極４への印加電圧Ｖｄ１；−５０Ｖ、電極５への印加電圧Ｖｄ２；＋５０Ｖ
・  電極４への印加電圧Ｖｄ１；＋５０Ｖ、電極５への印加電圧Ｖｄ２；−５０Ｖ
として、１００ｍｓｅｃ毎に電圧極性を反転させた。このとき、隔壁６には＋５Ｖの一定電圧を印加しておいた。
【００４８】
本実施例によれば、良好な白および黒の表示が得られた。さらに、隣接する画素で白および黒の異なる表示を行った場合でもコントラストの変動は見られず、安定した表示コントラストを得られることを確認した。
【００４９】
本実施例によれば、泳動粒子３は隔壁６には付着せず、良好な表示が得られた。
【００５０】
（実施例４）
本実施例では、図３及び図４に示す構造の上下移動型電気泳動表示装置Ｄ２を作製した。
【００５１】
この電気泳動表示装置Ｄ２を製造するに際しては、一対の１ｍｍ厚ガラス基板１ａ，１ｂのそれぞれにＩＴＯ（インジウム・ティン・オキサイド）膜を成膜し、フォトリソグラフィー法やウェットエッチング法によってパターニングし、図４に示す形状の電極１４，１５を形成した（それらの電極１４，１５の幅は１００μｍとした）。そして、それぞれの電極１４，１５を覆うように絶縁層７をアクリル樹脂にて形成した。
【００５２】
その後、一方の基板１ａには、レジストパターンをモールドとして用いて、Ａｕを厚さ１５μｍにめっきして、高さ１５μｍ、厚さ５μｍのＡｕでできた隔壁６を作製した。そして、隔壁６の側面には、アクリル樹脂からなる絶縁層を形成した（不図示）。
【００５３】
この段階では、上側の基板１ｂは貼着されていないため、下側基板１ａと隔壁６とによって多数の凹部が形成されているが、それらの凹部には、黒色の絶縁性液体２や白色の帯電泳動粒子３を充填した。なお、絶縁性液体２には、ヘキシルベンゼンにアントラキノン系染料を添加したものを使用し、帯電泳動粒子３には、平均粒径が約１μｍの硫化亜鉛粒子を使用した。
【００５４】
その後、実施例１と同様の方法によってこれらの基板１ａ，１ｂを貼り合わせた。これらの基板間隙は、隔壁６の高さによって規定されることとなり、本実施例では１５μｍであった。
【００５５】
以上のようにして作製した電気泳動表示装置Ｄ２を駆動した。具体的には、
・  電極１４への印加電圧Ｖｄ１；−５０Ｖ、電極１５への印加電圧Ｖｄ２；＋５０Ｖ
・  電極１４への印加電圧Ｖｄ１；＋５０Ｖ、電極１５への印加電圧Ｖｄ２；−５０Ｖ
として、１００ｍｓｅｃ毎に電圧極性を反転させた。
【００５６】
本実施例によれば、良好な白および黒の表示が得られた。さらに、隣接する画素で白および黒の異なる表示を行った場合でもコントラストの変動は見られず、安定した表示コントラストを得られることを確認した。
【００５７】
（比較例）
本比較例では、図１に示す水平移動型電気泳動表示装置を作製したが、隔壁６は導電性部材ではなく絶縁性部材で形成した。その他の構成や製造方法は実施例１と同様とした。
【００５８】
実施例１と同様の方法で駆動したところ、いくつかの画素で泳動粒子３が隣接する画素の駆動電圧の影響を受けて表示が乱れる場合が見られた。
【００５９】
【発明の効果】
以上説明したように、本発明によると、画素と画素との間には導電性を有する導電性部材が配置されているため、各画素の電界が他の画素に漏れ出ることを低減できる。その結果、各画素に配置された帯電泳動粒子は、（他の画素の電極に印加される電圧の影響を受けることなく）その画素の電極に印加される電圧によってのみ制御される。その結果、表示の乱れやコントラストの低下を低減できる。
【００６０】
また、本発明によれば、導電性部材を上述のように設けたため、帯電泳動粒子の他の画素への移動を低減でき、該移動に伴う表示品質の悪化を防止できる。
【００６１】
これらの効果（電界の漏出や粒子の移動の低減）は、画素を囲むように連続的に、かつ、基板間隙を塞ぐように導電性部材を配置した場合に顕著となる。また、電界の漏出低減の効果は、導電性部材をアースした場合に顕著となる。
【００６２】
また、各電極を覆うように絶縁層を形成したり、導電性部材の表面に絶縁層を形成した場合には、電極や導電性部材から帯電泳動粒子への電荷注入を防止できる。
【図面の簡単な説明】
【図１】本発明に係る電気泳動表示装置の構造の一例を示す断面図。
【図２】本発明に係る電気泳動表示装置の構造の一例を示す平面図。
【図３】本発明に係る電気泳動表示装置の構造の一例を示す断面図。
【図４】本発明に係る電気泳動表示装置の構造の一例を示す平面図。
【図５】従来の問題点並びに本発明の効果を説明するための図。
【図６】従来の問題点並びに本発明の効果を説明するための図。
【符号の説明】
１ａ，１ｂ        基板
２                絶縁性液体
３                着色帯電泳動粒子
４，５            電極
６                隔壁（導電性部材）
１４，１５        電極
Ａ                画素
Ｄ１              電気泳動表示装置
Ｄ２              電気泳動表示装置
【図１】
0004672857.tif 000002
【図２】
0004672857.tif 000003
【図３】
0004672857.tif 000004
【図４】
0004672857.tif 000005
【図５】
0004672857.tif 000006
【図６】
0004672857.tif 000007